(57)【要約】【課題】スラブ配筋の上で作業する場合に、滑らず、安定した状態を保つことができ、しかも足に装着して靴の感覚で使用できるので両足を効果的に支えることができて使い勝手のよいスラブ筋上の作業具を提供する。【解決手段】組まれたスラブ筋上で作業をするための作業具であって、鉄筋係合凹条１０、鉄筋係合凹条１０′を底面に形成した靴底８の上方に現場作業靴を履かせることができるオーバーシューズ体９を設けた。【選択図】  図１
2016209059.tif 000002
【特許請求の範囲】
【請求項１】
組まれたスラブ筋上で作業をするための作業具であって、スラブ筋への鉄筋係合凹条を底面に形成した靴底上方に現場作業靴を履かせることができるオーバーシューズ体を設けたことを特徴とするスラブ筋上の作業具。
【請求項２】
オーバーシューズ体と靴底は別体として間隔を存して上下関係にあり、相互に回動可能に結合した請求項１記載のスラブ筋上の作業具。
【請求項３】
靴底の底面の鉄筋係合凹条は十字に交差するように複数本からなるる請求項１または請求項２記載のスラブ筋上の作業具。
【請求項４】
靴底は鉄筋からの支圧力を靴底全体に伝える程度の硬質度を有する請求項１ないし請求項３のいずれかに記載のスラブ筋上の作業具。
【発明の詳細な説明】
【技術分野】
【０００１】
本発明は、鉄筋コンクリート造の床構築建設工事などで使用するスラブ筋上での作業を行うための作業具に関する。
【背景技術】
【０００２】
組まれたスラブ筋上で行う作業には例えばスラブコンクリートの打設などがある。
【０００３】
鉄筋上の作業具に関しては、下記特許文献も鉄筋の結束をする作業現場で使用することができ、腰掛けたままで結束作業および鉄筋の上の移動をすることができる作業具として提案されたもので、図６に示すように、作業用椅子１は作業者が着座することのできる大きさの基盤部２と、基盤部の裏面に鉄筋３上を転動可能に並行に配設された２個以上の金属製のローラー４と、基盤部の上面に設置される着座部５を備え、ローラー４の軸方向長さは鉄筋３の配列間隔よりも長く設定されており、作業者が着座部５に着座した状態で、ローラー４の転動により鉄筋３上を移動して作業することができる。
【特許文献１】実用新案登録第３１３６２００号公報
【０００４】
前記特許文献１は、鉄筋の結束をする作業現場で、配列された鉄筋上で作業者が着座して使用する作業用椅子として提案されたものであるが、これ以外でスラブ配筋の上でコンクリート打設などをする場合の作業足場を確保するものとしては、図５に示すような鋼棒６で格子上に組まれた仮設通路用安全マット７が使用されることもある。
【０００５】
この仮設通路用安全マット７は組まれたスラブ鉄筋で鉄筋３上に敷設され、その上に作業員が載り、また、その上を歩くための通路となる。
【発明の開示】
【発明が解決しようとする課題】
【０００６】
スラブ配筋の上で作業（コンクリート打設など）を行う場合、足袋（地下足袋）の使用では、鉄筋の幅分しか接地しないので、足裏の支圧力が大きくなり、足裏が痛くなる。
【０００７】
また、安全靴では、すべり易い。前記仮設通路用安全マット７の使用でも、それ自体が鋼棒６が丸棒ではここに乗った安全靴が滑り易く、鋼棒６を波打たせるなどすると、マット７に対して靴の滑りは解消されるが、特に生コン打ちの場合、コンクリートの打ち上がりに従ってマット７を撤去するためマット７を鉄筋３に固定しないので、マット７が鉄筋３上で滑りやすく、作業者が不安定になるおそれがある。
【０００８】
本発明の目的は前記従来例の不都合を解消し、スラブ配筋の上で作業する場合に、滑らず、安定した状態を保つことができ、しかも足に装着して靴の感覚で使用できるので両足に装着することで、両足で体を効果的に支えることができて移動その他も楽で使い勝手のよいスラブ筋上の作業具を提供することにある。
【課題を解決するための手段】
【０００９】
本発明は前記目的を達成するため請求項１記載の本発明は、組まれたスラブ筋上で作業をするための作業具であって、スラブ筋への鉄筋係合凹条を底面に形成した靴底上方に現場作業靴を履かせることができるオーバーシューズ体を設けたことを要旨とするものである。
【００１０】
請求項１記載の本発明によれば、オーバーシューズ体部分に現場作業靴を挿着できるので現場作業靴に装着して使用でき、靴底底面に形成した鉄筋係合凹条にスラブ筋を収めることで、スラブ筋上に滑らないように係止でき、スラブ筋の上で作業する場合に両足をスラブ筋に固定して安定した状態を保つことができる。
【００１１】
さらに、左右の足に装着できるので、移動するにも足を動かすことで楽に行うことができる。
【００１２】
請求項２記載の本発明は、オーバーシューズ体と靴底は別体として間隔を存して上下関係にあり、相互に回動可能に結合したことを要旨とするものである。
【００１３】
請求項２記載の本発明によれば、スラブ筋に係合する靴底に対してオーバーシューズ体を含めて足が自由に回動できるので、無理な姿勢を強いられることもない。
【００１４】
請求項３記載の本発明は、靴底の鉄筋係合凹条は交差方向に十字に形成することを要旨とするものである。
【００１５】
請求項３記載の本発明によれば、スラブ筋は格子状であり、縦筋、横筋が水平方向で結束線で組まれて交差しているが、そのいずれを選択して靴底の鉄筋係合凹条に収めてもよく、より安定した体勢を取ることができる。
【００１６】
請求項４記載の本発明は、靴底は鉄筋からの支圧力を全体に伝える程度の硬質度を有することを要旨とするものである。
【００１７】
請求項４記載の本発明によれば、靴底は鉄筋からの支圧力を全体に伝える程度の硬質度を有するので、鉄筋の幅分しか接地しなくても足裏の支圧力を全体に作用させることができる。
【発明の効果】
【００１８】
以上述べたように本発明のスラブ筋上の作業具は、スラブ配筋の上で作業する場合に、滑らず、安定した状態を保つことができ、しかも足に装着して靴の感覚で使用できるので両足を効果的に支えることができて使い勝手のよいものである。
【発明を実施するための形態】
【００１９】
以下、図面について本発明の実施の形態を詳細に説明する。図１は本発明のスラブ筋上の作業具の１実施形態を示す側面図、図２は同上背面図、図３は底面図である。
【００２０】
本発明のスラブ筋上の作業具は、靴底８とこの靴底８を取り付けたオーバーシューズ体９の組み合わせからなる。
【００２１】
先に靴底８から説明すると、靴底８は普通のゴム長靴などの靴底と同様もしくはこれに準じる形状で滑り止め用の凹凸部１２を波型やその他の形状で形成したものである。
【００２２】
本発明は靴底８の底面に、組まれたスラブ筋の鉄筋への鉄筋係合凹条１０、１０′を形成した。
【００２３】
このうち鉄筋係合凹条１０は靴底８を長さ方向に横切る凹条であり、鉄筋係合凹条１０′は鉄筋係合凹条１０に直交する靴底８を幅方向に横切る凹条となる。
【００２４】
ここで凹条とは凹みが連続するものの総称であり、実施形態としては鉄筋係合凹条１０、１０′には図４に示すようなバリエーションがある。図４（ａ）はＶ形溝による場合で、その長さ方向に鉄筋の一部（上側）が収まる場合、（ｂ）は溝として鉄筋が嵌り込んで納まる場合、（ｃ）はゆるやかなカーブを描き、鉄筋が頂点で接して納まる場合である。
【００２５】
なお、凹条は断面矩形のものでもよい。また、図中１５は滑り止めとして凹条内面に施した粗面である。
【００２６】
スラブ筋は縦筋、横筋が水平方向で結束線で組まれて交差しているが、横筋がが縦筋の下側に位置するとして、鉄筋係合凹条１０は上側に位置する縦筋が嵌るもの、鉄筋係合凹条１０′は下側に位置する横筋が嵌る。
【００２７】
鉄筋係合凹条１０、１０′はスラブ筋を構成する鉄筋１１が収まるだけの幅と深さを有すればよく、鉄筋係合凹条１０と鉄筋係合凹条１０′は同じ深さでよいが、鉄筋係合凹条１０は鉄筋係合凹条１０′より小さくてもよく、また鉄筋係合凹条１０′を鉄筋係合凹条１０の約倍の深さとしてもよい。
【００２８】
また、靴底８は材質を合成ゴム、合成樹脂、木材等によるものであり、鉄筋１１からの支圧力を全体に伝える程度の硬質度を有するものを選択する。
【００２９】
靴底８とこの靴底８を取り付けたオーバーシューズ体９の関係は靴底に取り付けられる甲革がオーバーシューズ体９に該当し、靴底８をオーバーシューズ体９の靴底を形成するものとして一体的に形成してもよいが、図示の実施形態ではオーバーシューズ体９と靴底８は別体として形成した。
【００３０】
靴底８とオーバーシューズ体９とは間隔を存して上下関係にあり、靴底８は上面中央にオーバーブーツ９への結合柱１３を立ち上げる。この結合柱１３は金属パイプ等の芯柱１３ａを内蔵させたもので、靴底８と同じ材質で外側を被覆し、靴底８の一部として一体感を持たせる。
【００３１】
オーバーシューズ体９は現場作業靴を履かせることができる形状であれば扁平なものであると深さのあるものであると問わないが、図示の例では上面に開口９ａを有し、この開口９ａから現場作業靴１４を挿入して、現場作業靴１４に上から履かせることが可能なものとした。
【００３２】
また、図示は省略するが、開口９ａには挿入した現場作業靴１４の甲の部分を抑えるバンド、ベルクロ（商標）フックおよびループファスナ、または他の便利な固定装置を備えることができる。
【００３３】
この固定装置の１例として、現場作業靴１４は通常足のつま先部分を覆う保護鉄板が内蔵されるが、オーバーシューズ体９の前側の上裏側に磁石を取付け、これで現場作業靴１４を固定することも可能である。この磁石の磁力は現場作業靴１４をオーバーシューズ体９に着脱するのに支障ない程度のものとする。
【００３４】
オーバーシューズ体９の形成素材も合成ゴム、合成樹脂、合成皮革、その他特に限定はなく、底部分は適度な硬さと厚さを有し、土踏まず９ｂとしてのアーチ状の空間があり、この空間を利用して前記結合柱１３を配設し、結合柱１３を介して靴底８と相互に回動可能に結合する。この回動可能結合にはベアリングを介在させてもよいし、ベアリングをもって結合柱１３としてもよい。
【００３５】
前記オーバーシューズ体９と靴底８とは別体として間隔を存して上下関係にあるとしても、その間隔寸法に特に限定がある訳ではなく、相互に回動可能に結合した状態を確保できればすむ。
【００３６】
オーバーシューズ体９の底面のつま先下面、かかと下面は靴底８の上面に接触させることができる。
【００３７】
オーバーシューズ体９と靴底８は相互に外形状を同一または類似にする必要はなく、特に靴底８は図示のように履物形状とする他、円形、矩形等を問わず、“かんじき”のようなものでもよい。
【００３８】
次に、使用法について説明する。本発明のスラブ筋上の作業具は、長靴等の現場作業靴１４に装着するもので、左右対として一足分となる。
【００３９】
開口９ａから現場作業靴１４を挿入してオーバーシューズ体９に現場作業靴１４を収める。
【００４０】
そして、鉄筋係合凹条１０または１０′を鉄筋１１に嵌めて作業員はスラブ筋上に立ってコンクリート打設等の作業を行う。
【００４１】
移動に際しては、足を持ち上げれば現場作業靴１４ごと本発明のスラブ筋上の作業具を持ち上げることができ、他所に移動して同様に鉄筋係合凹条１０または１０′を鉄筋１１に嵌めて停止すればよい。
【図面の簡単な説明】
【００４２】
【図１】本発明のスラブ筋上の作業具の１実施形態を示す側面図である。
【図２】本発明のスラブ筋上の作業具の１実施形態を示す背面図である。
【図３】本発明のスラブ筋上の作業具の１実施形態を示す底面図である。
【図４】鉄筋係合凹条のバリエーションを示す説明図である。
【図５】従来例の一例を示す斜視図である。
【図６】従来例の他例を示す斜視図である。
【符号の説明】
【００４３】
１…作業用椅子                        ２…基盤部
３…鉄筋                              ４…ローラー
５…着座部                            ６…鋼棒
７…仮設通路用安全マット              ８…靴底
９…オーバーシューズ体                ９ａ…開口
９ｂ…土踏まず                        １０、１０′…鉄筋係合凹条
１１…鉄筋                            １２…凹凸部
１３…結合柱                          １３ａ…芯柱
１４…現場作業靴                      １５…粗面
【図１】
2016209059.tif 000003
【図２】
2016209059.tif 000004
【図３】
2016209059.tif 000005
【図４】
2016209059.tif 000006
【図５】
2016209059.tif 000007
【図６】
2016209059.tif 000008
【手続補正書】
【提出日】平成27年5月8日(2015.5.8)
【手続補正１】
【補正対象書類名】特許請求の範囲
【補正対象項目名】請求項３
【補正方法】変更
【補正の内容】
【請求項３】
靴底の底面の鉄筋係合凹条は十字に交差するように複数本からなる請求項１または請求項２記載のスラブ筋上の作業具。